(57)【要約】【課題】鎌錠用の受け装置において、上下位置調整手段に関して部品点数の削減が可能で、もって低コスト化等を図れるものとする。また、上下位置調整手段の操作が容易に行えるようにする。【解決手段】戸枠２に設けられる鎌部材挿入用の受け凹部５に対しその凹部入り口に設けられる引っ掛け部材１０と、この引っ掛け部材１０を保持する保持枠１１と、引っ掛け部材１０の前面を覆う、鎌部材挿入用開口部１９が形成された面板３５とを有し、保持枠１１と面板３５との間に引っ掛け部材１０の上下位置調整手段４０が設けられている。【選択図】図１ 
2005076320.tif 000002
【特許請求の範囲】
【請求項１】
引き戸に設けられた鎌錠の鎌部材（６）を前方から挿入可能とすべく戸枠（２）に設けられる受け凹部（５）に対し、その凹部入り口に設けられる引っ掛け部材（１０）と、受け凹部（５）内で引っ掛け部材（１０）を所定配置で保持する保持枠（１１）と、この保持枠（１１）の前面を覆いつつ受け凹部（５）内への鎌部材（６）の挿入を許容する開口部（３９）が形成された面板（３５）とを有し、保持枠（１１）と面板（３５）との間に、面板（３５）に対して引っ掛け部材（１０）を上下動可能にさせる上下位置調整手段（４０）が設けられていることを特徴とする鎌錠用受け装置。
【請求項２】
前記保持枠（１１）は、戸枠（２）の受け凹部（５）内へ嵌め込まれた状態で前面解放の箱形を形成させる受け箱（１２）を有しており、前記引っ掛け部材（１０）はこの受け箱（１２）における前面解放部分の上部又は下部を塞ぎつつその奥方には引っ掛けスペースを確保させる位置付けで当該保持枠（１１）に対して取り付けられていることを特徴とする請求項１に記載の鎌錠用受け装置。
【請求項３】
前記上下位置調整手段（４０）は、受け箱（１２）から面板（３５）の裏面に平行して上方又は下方へ張り出した伝動部材（１４）と、軸心を前後方向へ向けて回転自在に保持された状態でこの回転により上記伝動部材（１４）に上方又は下方への送り駆動力を伝動可能に噛合する操作ギヤ（５０）とを有し、上記面板（３５）には操作ギヤ（５０）を回転操作する操作口（５８）が設けられ、操作ギヤ（５０）には上記操作口（５８）に対応する部分に工具係合部（５６）が設けられていることを特徴とする請求項２に記載の鎌錠用受け装置。
【請求項４】
前記操作ギヤ（５０）は、伝動部材（１４）と面板（３５）との間に挟まれ、且つ伝動部材（１４）に向く面に渦巻きカム（５４）が設けられており、伝動部材（１４）には上記渦巻きカム（５４）に噛合するラック歯（６０）が設けられていることを特徴とする請求項３に記載の鎌錠用受け装置。
【請求項５】
前記受け箱（１２）には、伝動部材（１４）を介した更に先方側へ張り出すガイド板（１５）と、伝動部材（１４）が張り出す方向とは反対向きに張り出すガイド板（１３）とが設けられており、これら受け箱（１２）の上下両方へ張り出している一対のガイド板（１３，１５）に対してそれらの上下動をガイドするガイドカバー（４３，４４）が面板（３５）裏面に設けられていることを特徴とする請求項３又は４に記載の鎌錠用受け装置。
【発明の詳細な説明】
【技術分野】
【０００１】
本発明は、引き戸に設けられた鎌錠の鎌部材を係脱自在にさせるため、戸枠側に設ける鎌錠用受け装置に関するものである。
【背景技術】
【０００２】
従来、引き戸の施錠に用いられる錠装置として鎌錠装置が知られている（特許文献１等参照）。この鎌錠装置は、引き戸側に設けられる鎌錠と、戸枠側に設けられる受け装置とを有している。このうち鎌錠は、先端部が鉤折れ状に折曲形成されることで鎌形を呈した鎌部材が、その先端部を下から上へすくい上げる方向か、又は反対に上から下へ振り下げる方向で揺動自在に設けられており、この鎌部材は、引き戸の閉止時（引き戸の戸先側端面が戸枠側に当接したとき）に自動的に又は手動操作に伴って上記揺動を行い、先端部を引き戸の戸先端面から戸枠側へ向けて突出させるようになっている。これに対して受け装置は、上記のように突出した鎌部材の先端部を挿入可能にする受け箱を有したものとなっている。受け箱には、その開口部内の上部又は下部に、鎌部材の先端部との引っ掛かりを可能にするために引っ掛け部材が設けられている。
【０００３】
ところで、この種の鎌錠装置において採用される受け装置としては、受け箱（要は、引っ掛け部材に相当する部分）の上下位置を必要に応じて調節可能にしたものが知られている（例えば、特許文献２及び３等参照）。この上下位置調節のための構造は、受け箱よりも一回り大きなボックス部材により、受け箱をその背側から取り囲むようにし、そのうえでこのボックス部材に取付用フランジ片を設けてこれで戸枠への取り付けに用いるものとし、このボックス部材内の奥方立面と受け箱の背側立面との間に、ラック歯とピニオンギヤとの噛合機構やラック歯と渦巻きカムとの噛合機構などを利用した上下位置調整手段を介設させるというものであった。この上下位置調整手段は、ピニオンギヤや渦巻きカムに設けられた回転操作用の工具係合部を、受け箱の背側立面に設けられた操作用貫通孔から受け箱内へ向けて露出させるようになっている。
【０００４】
そのため、この受け装置において実際に受け箱の上下位置を調節しようとするには、受け箱の正面側からその内部奥方へドライバー等の工具を突っ込み、この工具を上記工具係合部へ係合させたうえ、この工具で工具係合部を回転操作させるということを行う必要がある。
【特許文献１】特開平１０−２９２６９３号公報
【特許文献２】特開平１０−８２２１８号公報
【特許文献３】特開２００２−２８５９４６号公報
【発明の開示】
【発明が解決しようとする課題】
【０００５】
従来の受け装置に設けられた上下位置調整手段は、ボックス部材内の奥方立面と受け箱の背側立面との間に介設される構造であるから、ボックス部材は必須不可欠な構成となる。そのため部品点数の削減などに関して自ずと限度があり、このことが低コスト化の妨げとなることがあった。また、上下位置調整手段は受け箱の内部奥方へ工具を突っ込んで工具係合部を回転操作する必要があるが、このとき工具係合部部を視認しにくいといったことがあり、工具を工具係合部へ係合させたり回転操作させたりが面倒になる場合があった。
【０００６】
本発明は上記事情に鑑みてなされたものであって、上下位置調整手段に関して部品点数の削減が可能で、もって低コスト化等を図れるものとし、また上下位置調整手段の操作が容易に行えるようにした鎌錠用受け装置を提供することを目的とする。
【課題を解決するための手段】
【０００７】
前記目的を達成するために、本発明は次の手段を講じた。
即ち、本発明に係る鎌錠用受け装置は、戸枠２に設けられる受け凹部５に対してその凹部入り口に設けられる引っ掛け部材１０と、受け凹部５内で引っ掛け部材１０を所定配置で保持する保持枠１１と、この保持枠１１の前面を覆いつつ受け凹部５内への鎌部材６の挿入を許容する開口部３９が形成された面板３５とを有している。そして、保持枠１１と面板３５との間に、面板３５に対して引っ掛け部材１０を上下動可能にさせる上下位置調整手段４０が設けられている。戸枠２に対して受け凹部５が設けられる位置付けは、引き戸に設けられた鎌錠の鎌部材６を前方から挿入可能にする位置付けである。
【０００８】
ここにおいて保持枠１１とは、戸枠２の受け凹部５内へ嵌め込まれた状態で前面解放の箱形を形成させる受け箱１２を有したものとすればよい。すなわち、引っ掛け部材１０はこの受け箱１２における前面解放部分の上部又は下部を塞ぎつつ、その奥方に引っ掛けスペースを確保させる位置付けとして、この保持枠１１に取り付けられる。
このように保持枠１１と面板３５との間に上下位置調整手段４０が設けられていれば、従来において受け箱１２の背側を取り囲むように用いていたボックス部材は、この種、受け装置として必須不可欠な構成ではなくなる。また場合によっては、保持枠１１において受け箱１２を具備させる必要もなくなる。すなわち、ボックス部材を省略したり保持枠１１の構造を簡素化したりすることも可能になるので、これらによって低コスト化が図れる。
【０００９】
上下位置調整手段４０は、受け箱１２から面板３５の裏面に平行して上方又は下方へ張り出した伝動部材１４と、軸心を前後方向へ向けて回転自在に保持された状態でこの回転により上記伝動部材１４に上方又は下方への送り駆動力を伝動可能に噛合する操作ギヤ５０とを有したものとすればよい。このようにすることで簡潔構造を実現できる。なお具体的には、操作ギヤ５０は、伝動部材１４と面板３５との間に挟まれたものとし、そして伝動部材１４に向く面に渦巻きカム５４が設けられたものとすればよい。また伝動部材１４には、上記渦巻きカム５４に噛合するラック歯６０が設けられたものとすればよい。
【００１０】
このような場合にあっては、上記面板３５に対して操作ギヤ５０を回転操作する操作口５８を設け、また操作ギヤ５０には上記操作口５８に対応する部分に工具係合部５６を設けておけばよい。これにより、操作ギヤ５０を視認することが簡単となり、従ってこの操作ギヤ５０の回転操作も極めて簡単に行えるものとなる。
受け箱１２には、伝動部材１４を介した更に先方側へ張り出すガイド板１５と、伝動部材１４が張り出す方向とは反対向きに張り出すガイド板１３とが設けられたものとすればよい。すなわち、受け箱１２には、その上下両方へ向けて一対のガイド板１３，１５が張り出していることになる。そして、これら一対のガイド板１３，１５には、それらの上下動をガイドするガイドカバー４３，４４が面板３５裏面に設けられているものとすればよい。このようにすることで一層の構造簡潔化に繋がる。
【発明の効果】
【００１１】
本発明に係る鎌錠用受け装置では、上下位置調整手段に関して部品点数の削減が可能であり、もって低コスト化等を図れるものとし、また上下位置調整手段の操作が容易に行えるようになる。
【発明を実施するための最良の形態】
【００１２】
以下、本発明の実施の形態を、図面に基づき説明する。
図１乃至図３は、本発明に係る鎌錠用受け装置１の一実施形態を示している。この受け装置１は、引き戸の戸先端面と対向する戸枠２の縦框３に対して設けられる。戸枠２には、縦框３に沿って開口する受け凹部５が設けられており、受け装置１はこの受け凹部５内に埋設されるようになっている。この受け凹部５は、引き戸（図示略）に設けられた鎌錠の鎌部材６（図１参照）を、引き戸側から挿入可能にする位置付けとなっている。なお、以下の説明では、引き戸の開閉移動方向を前後方向とし、このうち引き戸が閉まる方向（戸枠２へ向かう方向）を後方とおく。
【００１３】
なおまた、本発明において鎌錠の種類や構成等は何ら限定されるものではないが、本実施形態において鎌部材６は、引き戸の閉止時（引き戸の戸先側端面が戸枠２側に当接したとき）に下から上へすくい上げる方向へ揺動して、先端部が引き戸の戸先端面から戸枠２側へ向けて突出するものとされ、従ってこのとき先端部の鉤折れした部分が上向きとなるものを示してある。
この受け装置１は、引っ掛け部材１０とこの引っ掛け部材１０を保持する保持枠１１とを有している。保持枠１１は、受け凹部５内へ嵌め込まれる受け箱１２を有している。この受け箱１２は前面側のみが解放する箱形として形成されたものである。この受け箱１２には、その前面側の解放部分からその上方へ張り出す上部側のガイド板１３と、反対に前面側の解放部分からその下方へ張り出す伝動部材１４と、この伝動部材１４を介して更に先方側（下方側）へ張り出す下部側のガイド板１５とが設けられている。これら受け箱１２、上部側のガイド板１３、伝動部材１４、及び下部側のガイド板１５は、板金製として一体化することができるが、別部材を結合させることで形成することも可能である。
【００１４】
保持枠１１はまた、受け箱１２等の正面側に重ね合わされる補助板１７を有している。この補助板１７は、受け箱１２の前面解放部分の上部側を部分的に塞いで、ここに引っ掛け部材１０用の取付支持部１８を形成させるようになっている。
なお、本実施形態において鎌錠の鎌部材６は、下から上への揺動により鉤折れした先端部が上向きになるタイプとしているから、引っ掛け部材１０は受け箱１２に対してその前面解放部分の上部を塞ぐ位置付けとする必要があり、従って取付支持部１８は受け箱１２の前面解放部分の上部側へ設けてあるが、鎌部材６が上から下への揺動により鉤折れした先端部が下向きになるタイプの鎌錠に対応させる場合には、引っ掛け部材１０は受け箱１２に対してその前面解放部分の下部を塞ぐ位置付けとする必要があり、従って取付支持部１８は受け箱１２の前面解放部分の下部側へ設けことになる。
【００１５】
補助板１７において、取付支持部１８の下部側には、縦長の長方形開口を呈する開口部１９が形成されており、この開口部１９が鎌部材６を受け箱１２内へ挿入させるときの通過口となる。またこの補助板１７は、上部側ガイド板１３や下部側ガイド板１５の正面側にも重ね合わされており、これら各板の補強作用をも奏するようになっている。
図４に示すように、引っ掛け部材１０は、撓み変形が起こらない程度の肉厚を有した板片として形成されており、上記補強板１７によって形成される取付支持部１８に対してその裏面に取り付けられる。これにより、引っ掛け部材１０自体が、受け箱１２の前面解放部分の上部を塞いだ状態とされる。そして、受け箱１２内の奥方寄りには、引っ掛け部材１０の背側との間に鎌部材６用の引っ掛けスペースが確保される。
【００１６】
引っ掛け部材１０は、下端部寄りになるほど、受け箱１２内の奥方から前面解放部分へ近づく方向へ薄くなるように曲面形成されており、これによって下から上へ揺動する鎌部材６との係合や、反対にこの係合状態から鎌部材６が下向きに揺動するときの係合解除が円滑に行われるようになっている。
なお、この引っ掛け部材１０は、受け箱１２の内部幅より若干小さめの幅寸法で形成されており、受け箱１２内で回転力を受けても両壁間でつっかえて、回転しないようになっている。そしてこの引っ掛け部材１０は、補助板１７側から受け箱１２の背側立面２０へ向けて受け箱１２内で架設される前後位置調整ネジ２１により、串刺し状に貫通保持されている。引っ掛け部材１０において前後位置調整ネジ２１が貫通する部分には、この前後位置調整ネジ２１に螺合する雌ねじ孔２３が設けられている。また、前後位置調整ネジ２１は、受け箱１２の背側立面２０を突き抜けた位置に抜け止め輪２４が取り付けられ、抜け止めされた状態で回転自在に保持されている。すなわち、この前後位置調整ネジ２１を回転させることで、引っ掛け部材１０を前後動させることができる。
【００１７】
この前後位置調整ネジ２１には、受け箱１２の背側立面２０に近い部分にネジの設けられていない丸軸部２５が設けられており、この丸軸部２５にはスペーサ２６が相対回転自在な状態で串刺し状に挿通されている。このスペーサ２６は、引っ掛け部材１０が受け箱１２の奥方へ入り込み過ぎて鎌部材６の挿入スペースへ大幅に食い込むのを阻止しており、これにより前後位置調整ネジ２１の回転無駄（操作の無駄）を抑えるのに役立っている。
この補助板１７には、開口部１９の下部に位置決め用孔２７が形成されている。この位置決め用孔２７は、鎌錠からこの受け装置１へ向けて突出する位置決め用突起（図示略）が設けられているときに、この位置決め突起と係合して、鎌錠と受け装置１との位置合わせ（殊に高さ方向調節）に利用されるものである。
【００１８】
この保持枠１１において、上部側ガイド板１３及び下部側ガイド板１５には、補助板１７の上下方向位置ズレを防止するために前方へ折曲された位置決め爪２８，２９が設けられている。従って補助板１７は、これら位置決め爪２８，２９間で係合保持され、且つ上記前後位置調整ネジ２１に抜け止め輪２４が嵌め付けられることに伴い、受け箱１２、上部側ガイド板１３、伝動部材１４、及び下部側ガイド板１５と結合され、これらが保持枠１１として一体化されるものである。
この保持枠１１において、上部側ガイド板１３と、補助板１７側でこの上部側ガイド板１３に重ねられる部分には、上方を解放させた長孔状切欠３０ａ，３０ｂが設けられてそれぞれ二股形成されている。また同様に、下部側ガイド板１５と、補助板１７側でこの下部側ガイド板１５に重ねられる部分には、下方を解放させた長孔状切欠３１ａ，３１ｂが設けられてそれぞれ二股形成されている。従って、この保持枠１１として、上端部には長孔状切欠３０ａ，３０ｂが合致してできる上部取付部３０が設けられ、また下端部には長孔状切欠３１ａ，３１ｂが合致してできる下部取付部３１が設けられていることになる。
【００１９】
この受け装置１は、上記した保持枠１１とは別に面板３５を有している。この面板３５は、保持枠１１の上下方向長さよりも少し大きく形成されており、この保持枠１１の前面を覆う状態で保持枠１１の前面に設けられる。そして、保持枠１１の上部取付部３０及び下部取付部３１に対応する上下２箇所に、取付孔３６が設けられている。これら上下の取付孔３６は、この受け装置１を戸枠２に対して取り付けるのに用いるネジ３７（図１参照）を通すためのものである。
この面板３５には、保持枠１１（補助板１７）に設けられた開口部１９を塞ぐことなくそのまま開口状態を保たせる開口部３９が形成されている。従ってこの開口部３９は、受け箱１２に対する鎌部材６の挿入を許容するものとなる。この開口部３９は、保持枠１１の開口部１９よりも上方及び下方の両方で長大に形成されており、開口部１９の上方側では前後位置調整ネジ２１を面板３５の正面側で露呈させるようになり、また開口部１９の下方側では位置決め用孔２７を面板３５の正面側で露呈させるようになっている。
【００２０】
保持枠１１と面板３５との間には、この面板３５に対して引っ掛け部材１０を上下動可能にさせる上下位置調整手段４０が設けられている。なお面板３５の裏面には、保持枠１１の上部側ガイド板１３に対応する部分に、その左右方向及び背側から抱き込むようになる上部ガイドカバー４３と、保持枠１１の下部側ガイド板１５に対応する部分に、その左右方向及び背側から抱き込むようになる下部ガイドカバー４４とが設けられている。これらにより、保持枠１１はその全体として面板３５に対して上下動自在にガイドされている。
【００２１】
図５に示すように、上部ガイドカバー４３は、板材をコ字状に折曲することで形成されたもので、面板３５に設けられた取付孔３６、及び保持枠１１に設けられた上部取付部３０に対応させて、貫通孔４５が設けられている。そして、これら取付孔３６、上部取付部３０、貫通孔４５を貫通させるように、一端部にテーパ状拡径部４６ａを有したハトメ状のカラー部材４６が差し込まれ、拡径部４６ａとは他端側が貫通孔４５を突き抜けた状態とされたうえでその回りへカシメられ（カシメ部４６ｂ）、その結果としてこの上部ガイドカバー４３は面板３５に固定されている。下部ガイドカバー４４についても、略同様の構造で面板３５に固定されている。
【００２２】
このようにして、面板３５と上部ガイドカバー４３とで挟まれる枠内、及び面板３５と下部ガイドカバー４４とで挟まれる枠内で保持枠１１が両端支持されている。保持枠１１には長孔切欠状の上部取付部３０や下部取付部３１が設けられているため、これらがカラー部材４６との上下方向相対移動を許容すると共にその動きをガイドすることになる。従って、面板３５に対して保持枠１１は、上下のガイドカバー４３，４４で両端支持されながらも上下動自在な状態を保持される。また、面板３５と上下のガイドカバー４３，４４とを固定するために用いられたカラー部材４６は、それらの中空内部が、この受け装置１を戸枠２に取り付けるネジ３７を通すための孔として実質的に利用されるものである。
【００２３】
上下位置調整手段４０は、保持枠１１に設けられた上記伝動部材１４と、この伝動部材１４に噛合関係をもって組み合わされる操作ギヤ５０とを有している。保持枠１１において、伝動部材１４は一旦、背側へ膨らみ出るように折曲され、この折曲により伝動部材１４と補助板１７との重ね合わせ間に隙間を形成させるようになっている。更に補助板１７にはこの伝動部材１４と対向する位置に開口５１が設けられ、この開口５１内で操作ギヤ５０を収納してその肉厚分を吸収できるようになっている。
図６及び図７に示すように、操作ギヤ５０は、円盤形をしたギヤ本体５３に対し、その一方面に渦巻きカム５４が設けられ、他方面に短円柱形に突出したボス部５５が設けられている。渦巻きカム５４は、一条の筋状突起がギヤ本体５３の外周から中心寄りへ向けて渦巻き形に突出形成されたものである。またボス部５５は、ギヤ本体５３に対して偏心した位置付けとされており、その突端部にはプラスドライバー等の工具と係合可能となる工具係合部５６が設けられている。
【００２４】
面板３５には、操作ギヤ５０の収納位置（保持枠１１の開口５１内や伝動部材１４の正面に対応する位置）に対応して、この操作部材５０のボス部５５をガタツキなく嵌める操作口５８が設けられている。従って、操作ギヤ５０は、ボス部５５を前後方向へ向けた回転軸として、その軸心まわりで回転自在に保持されることになる。面板３５に設けられた操作口５８には、上記したように操作ギヤ５０のボス部５５が嵌められ、そのため面板３５の正面側から、このボス部５５に設けられた工具係合部５６へ工具を係合させることができる。従ってこの操作ギヤ５０は、面板３５の外部から回転操作可能である。
【００２５】
上記伝動部材１４には、その正面側（操作ギヤ５０に向く面）に操作ギヤ５０の渦巻きカム５４と噛合可能なラック歯６０が設けられている。
このような構成を具備して成る本発明に係る受け装置１にあっては、面板３５の操作口５８内で露呈している操作ギヤ５０の工具係合部５６へプラスドライバー等の工具を係合させ、この工具によって操作ギヤ５０を回転操作させると、上下位置調整手段４０の作用として、操作ギヤ３５の渦巻きカム５４が伝動部材１４のラック歯６０を繰り出し又は繰り込んで、伝動部材１４に上方又は下方への送り駆動力を伝動させる。そのため、これを受けて受け箱１２が上下に移動し、結果としてこの受け箱１２と共に引っ掛け部材１０の上下位置が調節されるのである。
【００２６】
ところで、本出願人は、引っ掛け部材１０に対し、図８に示すような傾き調整手段１００を設けることを創案している。この傾き調整手段１００は、戸枠２が前後方向（引き戸の開閉移動方向）で傾いているときに、その程度に応じて引っ掛け部材１０の傾きを調節することによって、引っ掛け部材１０に対する鎌部材６の係合状態を最良にさせるためのものである。このような傾き調整手段１００を本発明に係る受け装置１に採用することが可能である。
この傾き調整手段１００は、受け箱１２内に、引っ掛け部材１０の上部を前後に挟み且つ引っ掛け部材１０の前面を覆うようなホルダ１０１が設けられ、このホルダ１０１の前部下部に、前方へ筒部１０２を突出させたバーリング処理によって前後に貫通させた雌ねじ孔１０３が設けられている。この筒部１０２の雌ねじ孔１０３には傾き調節ネジ１０４が螺合されており、この傾き調節ネジ１０４は、保持枠１１の補助板１７に形成された切欠き部１０５を介して回転操作可能とされている。
【００２７】
また、前後位置調整ネジ２１と、引っ掛け部材１０の雌ねじ孔２３とのネジ間にはクリアランスが設けられており、このクリアランスによって引っ掛け部材１０は、雌ねじ孔２３と前後位置調整ネジ２１との螺合部分を支点として前後方向に揺動自在となっている。
すなわち、傾き調節ネジ１０４を回転操作することによりこの傾き調節ネジ１０４が前後方向に進退し、これが引っ掛け部材１０の下部側を後方へ押し出す程度を変化させることになるので、これによって引っ掛け部材１０は前後に揺動して、その背面が前後に傾動することになる。
【００２８】
なお、傾き調節ネジ１０４が筒部１０２の雌ねじ孔１０３から突出していない状態では、引っ掛け部材１０は前後に揺動自在であり、この状態で、鎌錠の鎌部材６を引っ掛け部材１０から強引に外そうとした時、引っ掛け部材１０は前方側に傾き、鎌部材６が外れ易くなり、一方で、傾き調節ネジ１０４を回動して筒部１０２の雌ねじ孔１０３から後方に突出させると引っ掛け部材１０を後方側に傾けて固定できるので、その結果、鎌部材６のかかり具合がよくなるという好作用を得ることもできる。
ところで、本発明は上記実施形態に限定されるものではない。例えば、保持枠１１において補助板１７は省略することができる。またこの保持枠１１において、引っ掛け部材１０を挿入保持可能であって且つこの引っ掛け部材１０に対して鎌錠の鎌部材６を係合させるだけのスペースを確保できる構造とすれば、受け箱１２を省略することも可能である。
上記実施形態では面板３５の取付孔３６としては、ハトメ状のカラー部材４６を取り付けてその中空内部を利用する構造に限らず、裏面側へ突出するバーリング処理を施すように変えることも可能である。
【００２９】
また上下位置調整手段４０において、操作ギヤ５０と伝動部材１４との噛合関係は、操作ギヤ５０をピニオンギヤとし伝動部材１４をラック歯とするものでもよい。
【図面の簡単な説明】
【００３０】
【図１】図２のＡ−Ａ線断面図である。
【図２】本発明に係る受け装置の一実施形態を示す正面図である。
【図３】図２に示した受け装置の分解斜視図である。
【図４】図１中の一部（引っ掛け部材の周辺）を示した拡大図である。
【図５】図２のＢ−Ｂ線拡大断面図である。
【図６】操作ギヤの拡大側面図である。
【図７】図６のＣ−Ｃ線矢視図である。
【図８】本発明に係る受け装置に採用可能な傾き調整手段を示した側断面図である。
【符号の説明】
【００３１】
１  受け装置
２  戸枠
５  受け凹部
６  鎌部材
１０  引っ掛け部材
１１  保持枠
１２  受け箱
１３  ガイド板
１４  伝動部材
１５  ガイド板
１９  開口部
３５  面板
４０  上下位置調整手段
４３  ガイドカバー
４４  ガイドカバー
５０  操作ギヤ
５４  渦巻きカム
５６  工具係合部
５８  操作口
６０  ラック歯
【図１】
2005076320.tif 000003
【図２】
2005076320.tif 000004
【図３】
2005076320.tif 000005
【図４】
2005076320.tif 000006
【図５】
2005076320.tif 000007
【図６】
2005076320.tif 000008
【図７】
2005076320.tif 000009
【図８】
2005076320.tif 000010